(57)【要約】【課題】捕獲した動物を通電によって屠殺等を行う際に、操作具の先端に取り付けられた、動物に突き刺す電極針が動物の身体から抜け外れて通電ができなかったり、あるいは変形したり、破損したりすることを抑制できる通電式屠殺装置を提供する。【解決手段】通電式屠殺装置Ａは、電源部１と、電源部１のプラス側電線１６が接続されており、先端部にプラス側電線１６を介して通電可能な状態を維持しながら分離できるように形成されている電極針４を有するプラス側通電操作具２と、電源部１のマイナス側電線１７が接続されており、先端部にマイナス側電線１７を介して通電可能な状態を維持しながら分離できるように形成されている電極針４を有するマイナス側通電操作具３と、プラス側電線１６及びマイナス側電線１７の通電と遮断を切り替える起動スイッチ２２、３２とを備え、電極針４は抜け止め部４４１を有する。【選択図】図１
2019149989.tif 000002
【特許請求の範囲】
【請求項１】
操作具に着脱可能な着脱部材と、
導電材料で先部が尖った形状に形成され、前記着脱部材に取り付け可能な針部、該針部の先端から基端方向へ所要距離をおいた位置に形成され、前記針部の該部分より差し渡しが大きい掛かり部を有すると共に、針先方向へ窄まるように形成されている抜け止め部を有する針本体とを備える
電極針。
【請求項２】
前記掛かり部が、前記抜け止め部における前記針部の基端方向の端部に形成されている
請求項１記載の電極針。
【請求項３】
前記掛かり部が、前記針部の長さ方向の複数箇所に設けられている
請求項１又は２記載の電極針。
【請求項４】
前記針部先端から、前記抜け止め部における前記針部基端側の端部までの距離が、３３〜３７ｍｍ又は４４〜４８ｍｍである
請求項１、２又は３記載の電極針。
【請求項５】
バッテリー、該バッテリーが入力側に接続されたＤＣ／ＡＣインバーターを有する電源部と、
該電源部の前記ＤＣ／ＡＣインバーターの出力側に接続されたケーブルのプラス側の変形性を有する電線が接続されており、先端部に、前記プラス側の電線を介して通電可能な状態を維持しながら分離できるように形成されている電極針を有する、所要長さのプラス側通電操作具と、
前記電源部の前記ＤＣ／ＡＣインバーターの出力側に接続されたケーブルのマイナス側の変形性を有する電線が接続されており、先端部に、前記マイナス側の電線を介して通電可能な状態を維持しながら分離できるように形成されている電極針を有する、所要長さのマイナス側通電操作具と、
前記プラス側通電操作具のプラス側の電線及び前記マイナス側通電操作具のマイナス側の電線の一方又は双方の通電と遮断を切り替える起動スイッチとを備えており、
前記各電極針は、
操作具に着脱可能な着脱部材と、
導電材料で先部が尖った形状に形成され、前記着脱部材に取り付け可能な針部、該針部の先端から基端方向へ所要距離をおいた位置に形成され、前記針部の該部分より差し渡しが大きい掛かり部を有すると共に、針先方向へ窄まるように形成されている抜け止め部を有する針本体とを備える
通電式屠殺装置。
【請求項６】
前記プラス側の電線及び前記マイナス側の電線の一方又は双方に余長部が設けられると共に、前記余長部が、対応する前記各通電操作具に出入り可能に外部へ引き出されている
請求項５記載の通電式屠殺装置。
【請求項７】
導電材料で先部が尖った形状に形成されており、通電式屠殺装置の操作具に取り付け可能な構造を有する針部と、
該針部の先端から基端方向へ所要距離をおいた位置に形成され、前記針部の該部分より差し渡しが大きい掛かり部を有すると共に、針先方向へ窄まる部分を有するようにして形成されている抜け止め部とを備える
電極針。
【発明の詳細な説明】
【技術分野】
【０００１】
本発明は、電極針及び通電式屠殺装置に関するものである。詳しくは、捕獲した動物を通電によって屠殺したり気絶させたりする際に、操作具の先端に取り付けられた、動物に突き刺す電極針が動物の身体から抜け外れて通電ができなかったり、あるいは変形したり、破損したりすることを抑制すると共に、操作具を操作する作業者に危険が及びにくいようにして安全性を高めたものに関する。
【背景技術】
【０００２】
例えば檻状の箱罠、あるいは足括り罠等の各種罠で捕獲した動物は、その殆どを屠殺（殺処分）する必要がある。しかし、猟区には銃猟禁止地域があり、動物に致命傷を与えるために無闇に発砲することはできない。
【０００３】
また、急所を外して、ハンマーやナイフで中途半端に傷を負わせてしまうと、動物が大暴れして手負いとなる可能性があり、かえって危険である。そこで、多くの場合では、捕獲した動物の動きをワイヤロープ等の拘束具で制限し、動けなくなったところでナイフにより致命傷を与える方法がとられている。
【０００４】
しかし、この方法も危険であることに変わりはなく、近年では、狩猟者にとってより安全な方法として、捕獲した動物に電流を流して屠殺したり気絶させたりする方法が推奨されている。この通電による屠殺等は、捕獲した動物から充分に離れた場所から、操作具等を使用して、処理をごく短時間で行うことができる点で、実用的な方法であるといえる。
【０００５】
このような動物用の通電式屠殺装置としては、例えば特許文献１に記載されている野生動物屠殺用具がある。この屠殺用具は、先端先鋭状の正電極部となる金属針部を先端に有し、基端にグリップ部を形成した、伸縮自在の所定長さの竿体と、金属針部に接続した通電コードと、通電コードに接続したバッテリー部と、バッテリー部からの直流電圧を昇圧するための電源昇圧部と、ＤＣ／ＡＣインバーターと、通電コードの中途に介設した電源スイッチ部とよりなる。
【０００６】
また、バッテリー部と電源昇圧部とＤＣ／ＡＣインバーターはケースに収納して背負い状態に構成され、電源スイッチ部は、金属針部とＤＣ／ＡＣインバーターを繋ぐ通電コードに対して並列に延びる通電コードによって、ＤＣ／ＡＣインバーターに接続されている。
【０００７】
そして、野生動物を屠殺する場合には、狩猟者は一方の手で竿体のグリップ部を把持し、他方の手で電源スイッチ部を把持し、野生動物を収納する金属製網体を土中の接地電極と同電位にし、狩猟者が一方の手で野生動物に竿体の金属針部を突き刺し、他方の手で把持した電源スイッチ部のスイッチボタンを押すと、ＤＣ／ＡＣインバーターから通電コード、金属針部、野生動物、金属製網体及び土中の順に電流が流れる閉回路を形成することにより野生動物を屠殺するように構成されている。
【先行技術文献】
【特許文献】
【０００８】
【特許文献１】特許第５６８７７５０号公報
【発明の概要】
【発明が解決しようとする課題】
【０００９】
しかしながら、上記特許文献１に記載の野生動物屠殺用具には、次のような課題があった。すなわち、通電用の金属針部は、竿体の先端に固定されている。この金属針部は、特許文献１の各図に示されているように、先部が尖った単なる針状であり、一旦、動物の身体に刺さっても、動物がひどく暴れたりすると容易に抜けてしまう。このため、通電のタイミングを外してしまい、通電ができず屠殺がうまくいかないことも多かった。
【００１０】
その対処として、狩猟者が竿体を操作して、金属針部を動物の体表（皮膚）に突き刺したときに、金属針部が抜けないように、強く押し付けると、その痛みで動物が激しく動くので、金属針部が変形したり破損したりして、その後、用具を使用できなくなる不都合が生じる問題があった。
【００１１】
更には、上記のように動物に金属針部が突き刺さったまま、動物が激しく動いた場合、竿体が強く弾かれて、竿体を持った狩猟者が転倒したり、竿体で打たれたりして、怪我をしてしまう危険性が高かった。
【００１２】
しかも、この屠殺用具は、予め金属製網体を介して地面にアースをとっておき、あるいは更に通電性をよくするため水を撒いておき、その状態で動物に対して通電するので、特に雨天時に狩猟者が転倒する等した場合、過ってスイッチが入ってしまい、狩猟者が濡れた地面で感電してしまう可能性さえ少なからずあり、安全性にも課題があった。
【００１３】
本発明は、以上の点を鑑みて創案されたものであり、捕獲した動物を通電によって屠殺等を行う際に、操作具の先端に取り付けられた、動物に突き刺す電極針が動物の身体から抜け外れて通電ができなかったり、あるいは変形したり、破損したりすることを抑制すると共に、操作具を操作する作業者に危険が及びにくいようにして安全性を高めた電極針及び通電式屠殺装置を提供することを目的とする。
【課題を解決するための手段】
【００１４】
（１）上記の目的を達成するために本発明は、操作具に着脱可能な着脱部材と、導電材料で先部が尖った形状に形成され、前記着脱部材に取り付け可能な針部、該針部の先端から基端方向へ所要距離をおいた位置に形成され、前記針部の該部分より差し渡しが大きい掛かり部を有すると共に、針先方向へ窄まるように形成されている抜け止め部を有する針本体とを備える電極針である。
【００１５】
電極針は、着脱部材によって、操作具への取り付けと分離が可能である。針本体に設けられている抜け止め部は、針先方向へ窄まる部分を有することにより、針本体を動物の体表に突き刺して、抜け止め部が皮部を貫通するときも、徐々に径が大きくなるので、それ程大きな抵抗はなく、比較的スムーズに突き刺すことができる。窄まる部分は、抜け止め部の全長にわたって設けてもよいし、差し込みに支障がなければ、抜け止め部の一部に設けてもよい。
【００１６】
また、抜け止め部は、針本体より差し渡しが大きい（又は径大な）掛かり部を有するので、電極針の突き刺しに伴い、抜け止め部の掛かり部が皮部を貫通して皮部を超えたところで、皮部の広がっていた穴がやや収縮すると、抜け方向では、掛かり部が皮部の穴縁に引っ掛かって、電極針は抜け止まる。そして、操作具を手元方向に引くと、電極針が抜け止まっていることにより、電極針は、操作具から分離して動物の体表に残る。
【００１７】
更には、抜け止め部は、針本体の先端から基端方向へ所要距離をおいた位置に形成されており、電極針が抜け止まった位置で、その針先は、動物の皮下のある程度深いところに通っている神経（末梢神経系、中枢神経系等）に届くようになっている。神経は、生命維持のための各種の情報伝達を行うものであり、動物の神経に所要量の電流を通電して感電させることにより、ごく短時間のうちに、動物の生命活動を停止させることができる。
【００１８】
（２）本発明は、前記掛かり部が、前記抜け止め部における前記針部の基端方向の端部に形成されている構成としてもよい。
【００１９】
この場合では、動物の体表に、掛かり部を皮部に通すようにして突き刺した後、動物の動きに伴って電極針が抜け方向へ動いたとき、最初に皮部の穴縁に当たるのが、この端部の掛かり部であり、針先を皮下の所定の深さまで刺した状態で維持することができる。また、このように抜け止め部の針本体の基端方向の端部に掛かり部を形成した場合、掛かり部から針先（先端）までの長さを、機能性を維持しながら、より短くすることができる。
【００２０】
（３）本発明は、前記掛かり部が、前記針部の長さ方向の複数箇所に設けられている構成としてもよい。
【００２１】
この場合は、掛かり部が、針本体の長さ方向の複数箇所に設けられている構成であるので、電極針が動物の体表に突き刺されて一旦抜け止まった後、仮に皮部の穴から掛かり部が抜けてしまっても、針先方向にある他の掛かり部によって再度抜け止まる可能性が高く、より確実な抜け止めが可能になる。
【００２２】
（４）本発明は、前記針部先端から、前記抜け止め部における前記針部基端側の端部までの距離が、３３〜３７ｍｍ又は４４〜４８ｍｍである構成としてもよい。
【００２３】
この場合、針本体先端から基端側の端部までの距離が、３３〜３７ｍｍの電極針では、イノシシ等の捕獲対象獣の幼獣の皮下の神経の深さに対応できる。また、同じく４４〜４８ｍｍの電極針では、イノシシ等の捕獲対象獣の成獣の皮下の神経の深さに対応できる。
【００２４】
これにより、電極針が、動物の体表に突き刺さって抜け止め部により抜け止まった状態では、幼獣であっても成獣であっても、針先が皮下の神経に充分に届くので、通電による屠殺処分をより確実に行うことができる。なお、成獣用は幼獣用としても兼用できるが、電極針を、より小さくして無駄をなくす意味で、幼獣用を作製するのが好ましい。
【００２５】
（５）上記の目的を達成するために本発明は、バッテリーと、該バッテリーが入力側に接続されたＤＣ／ＡＣインバーターとを有する電源部と、該電源部の前記ＤＣ／ＡＣインバーターの出力側に接続されたケーブルのプラス側（又は非接地側ともいう）の変形性を有する電線が接続されており、先端部に、前記プラス側の電線を介して通電可能な状態を維持しながら分離できるように形成されている電極針を有する、所要長さのプラス側通電操作具と、前記電源部の前記ＤＣ／ＡＣインバーターの出力側に接続されたケーブルのマイナス側（又は接地側ともいう）の変形性を有する電線が接続されており、先端部に、前記マイナス側の電線を介して通電可能な状態を維持しながら分離できるように形成されている電極針を有する、所要長さのマイナス側通電操作具と、前記プラス側通電操作具のプラス側の電線及び前記マイナス側通電操作具のマイナス側の電線の一方又は双方の通電と遮断を切り替える起動スイッチとを備えており、前記各電極針は、操作具に着脱可能な着脱部材と、導電材料で先部が尖った形状に形成され、前記着脱部材に取り付け可能な針部、該針部の先端から基端方向へ所要距離をおいた位置に形成され、前記針部の該部分より差し渡しが大きい掛かり部を有すると共に、針先方向へ窄まるように形成されている抜け止め部を有する針本体とを備える、通電式屠殺装置である。
【００２６】
本発明の通電式屠殺装置の電源部においては、バッテリーの直流をＤＣ／ＡＣインバーターにより所要の周波数の交流に変換することができる。また、プラス側通電操作具は、ＤＣ／ＡＣインバーターから出力される交流電流を、電線を介し電極針へ供給することができる。電極針は、プラス側通電操作具を構成するが、取り付けられた箇所から分離することができる。
【００２７】
電極針に電線を介し通電できる状態は、電極針を分離した状態でも維持されるようになっている。また、電線は変形するので、分離した電極針とプラス側通電操作具の位置関係が変化しても、所要の範囲内、例えば電線が届く範囲内、電線の変形が可能な範囲内等であれば、通電できる状態の維持が可能である。
【００２８】
また、上記（１）の作用で説明したように、電極針は針先が所要の深さとなるように動物の体表に突き刺した後、抜け止め部によって抜け止まるので、通電操作具の操作や動物の動きによって、電線が多少引っ張られたとしても、安易に抜け外れることがなく、通電による動物の処分を支障なく行うことができる。
【００２９】
マイナス側通電操作具は、プラス側通電操作具の電線を介し供給される交流電流を、それぞれの操作具の各電極針を導通させることにより、電線を介し回路の接地側へ落とすことができる。電極針は、マイナス側通電操作具を構成し、取り付けられた箇所から分離することができる。
【００３０】
電極針に電線を介し通電できる状態は、電極針を分離した状態でも維持されるようになっている。また、電線は変形するので、分離した電極針とマイナス側通電操作具の位置関係が変化しても、所要の範囲内であれば、通電できる状態の維持が可能であるのは、プラス側通電操作具の場合と同様である。
【００３１】
起動スイッチは、プラス側通電操作具のプラス側の電線及びマイナス側通電操作具のマイナス側の電線の一方又は双方の通電と通電の遮断を切り替えることができるので、操作する狩猟者が判断するタイミングによる通電（ＯＮ）及び通電の遮断（ＯＦＦ）が可能である。
【００３２】
また、通電操作具の双方に起動スイッチを設けておけば、通電操作具の取り落としや接触等により誤って起動スイッチが入ってしまったときの狩猟者の安全を図る安全装置としての利用が可能である。つまり、両方の通電操作具の起動スイッチを切っておけば、上記ケースで仮に一方の起動スイッチが入っても、同時に双方の起動スイッチが入らない限り通電されないので安全性が高い。
【００３３】
本発明の通電式屠殺装置を使用した動物の屠殺等に当たっては、例えば足括り罠等の罠に掛かり、ワイヤロープでつながれた状態で捕獲されたイノシシ等の動物を、更に他の拘束用ワイヤロープ等を使用して拘束し、動物の動きを制限して、屠殺等を行う狩猟者に対する危険度を予め軽減しておく。
【００３４】
狩猟者は、動物とやや離れた比較的安全な場所でマイナス側通電操作具を操作して、拘束されている動物の後ろ足等に、マイナス側の電極針を突き刺す。更に、動物とやや離れた場所でプラス側通電操作具を操作して、拘束されている動物の耳の下等に、プラス側の電極針を突き刺す。
【００３５】
次に、各電極針を突き刺した状態、かつ各電線を介し各電極針に通電可能な状態を維持しながら、プラス側通電操作具とマイナス側通電操作具を引っ張る等の操作を行い、各電極針を分離させる。これにより、動物に突き刺さって固定されている各電極針と、狩猟者が持っている各通電操作具（電極針は外れている）は、変形性を有する電線を介し、通電可能に接続された状態となる。
【００３６】
この状態で起動スイッチを入れてプラス側の電線に通電し、電流が動物を通る閉回路をつくる。すなわち、プラス側通電操作具につながるプラス側の電線を通じて電極針に送られた電流は、動物の身体を通り、更にマイナス側通電操作具においてマイナス側の電線に流れて接地されることにより、動物は感電する。この際の電流量、電圧又は通電時間等を調節することにより、動物の処分の程度、つまり殺処分とするか、あるいは利活用のために気絶させて放血が可能な仮死状態とするか等の選択が可能である。
【００３７】
また、動物が通電する前に暴れたり、通電のショック等で激しく動いたりしても、その動きの一部又は全部は、各電線が変形しながら動くことにより吸収されるので、各通電操作具に伝わることを抑制することができる。従って、電極針が変形したり破損したりすることを抑制することができる。また、従来のような、各通電操作具が強く弾かれて、操作具を持った狩猟者が転倒したり操作具で打たれたりして怪我をしてしまう危険性を低減することができる。
【００３８】
また、起動スイッチを、通電操作具において狩猟者の手が届く箇所に配置しておくことにより、電極につながる電線への通電を、最も好適なタイミングを見はからって素早く行うことができると共に、状況によっては通電をしないまま止めることもできるので、より確実に、かつより安全に作業を行うことが可能になる。
【００３９】
（６）本発明は、前記プラス側の電線及び前記マイナス側の電線の一方又は双方に余長部が設けられると共に、前記余長部が、対応する前記各通電操作具に出入り可能に外部へ引き出されている構成であってもよい。
【００４０】
この場合、電線に設けた余長部は、電極針を分離させたとき、必要な位置まで離すことができるように、電線に余裕を持たせた部分であり、各通電操作具に出入り可能に外部へ引き出されている。これにより、上記（５）の各作用に加えて、電極針が分離して各通電操作具から離れたときの動きは、予め設定された間隔までは余長部が内部へ引き込まれることで吸収されるので、電極針が離れて電線が引っ張られることによる衝撃や力が、各通電操作具に及ぶことが抑制される。
【００４１】
（７）上記の目的を達成するために本発明は、導電材料で先部が尖った形状に形成されており、通電式屠殺装置の操作具に取り付け可能な構造を有する針部と、該針部の先端から基端方向へ所要距離をおいた位置に形成され、前記針部の該部分より差し渡しが大きい掛かり部を有すると共に、針先方向へ窄まる部分を有するようにして形成されている抜け止め部とを備える電極針である。
【００４２】
電極針は、針本体に設けられている抜け止め部が、針先方向へ窄まる部分を有することにより、針本体を動物の体表に突き刺して、抜け止め部が皮部を貫通するときも、徐々に径が大きくなるので、それ程大きな抵抗はなく、比較的スムーズに突き刺すことができる。
【００４３】
また、抜け止め部は、針本体より差し渡しが大きい掛かり部を有するので、電極針の突き刺しに伴い、抜け止め部の掛かり部が皮部を貫通して皮部を超えたところで、皮部の広がっていた穴がやや収縮すると、抜け方向では、掛かり部が皮部の穴縁に引っ掛かって、電極針は抜け止まる。そして、操作具を手元方向に引くと、電極針が抜け止まっていることにより、電極針は、操作具から分離して動物の体表に残る。
【００４４】
更には、抜け止め部は、針本体の先端から基端方向へ所要距離をおいた位置に形成されており、電極針が抜け止まった位置で、その針先は、動物の皮下のある程度深いところに通っている神経に届くようになっている。神経は、生命維持のための各種の情報伝達を行うものであり、動物の神経に所要量の電流を通電して感電させることにより、ごく短時間のうちに、動物の生命活動を停止させることができる。
【発明の効果】
【００４５】
本発明は、捕獲した動物を通電によって屠殺等を行う際に、操作具の先端に取り付けられた、動物に突き刺す電極針が動物の身体から抜け外れて通電ができなかったり、あるいは変形したり、破損したりすることを抑制すると共に、操作具を操作する作業者に危険が及びにくいようにして安全性を高めた電極針及び通電式屠殺装置を提供することができる。
【図面の簡単な説明】
【００４６】
【図１】本発明に係る通電式屠殺装置の一実施の形態を示す一部を省略した説明図である。
【図２】図１に示す通電式屠殺装置のプラス側通電操作具の先端部構造を示し、（ａ）は電極針の組み上がり状態の説明図、（ｂ）は電極針の組み付け構造を示す分解説明図である。
【図３】通電式屠殺装置に使用する本発明に係る電極針の一実施の形態を示す斜視図である。
【図４】通電式屠殺装置の使用状態を示し、プラス側通電操作具とマイナス側通電操作具の各電極針を動物の所要箇所に突き刺している状態を示す説明図である。
【図５】通電式屠殺装置の使用状態を示し、図４に示す状態からプラス側通電操作具とマイナス側通電操作具を操作し、各電線をつないだ状態のままの各電極針を操作具先端部から分離させて体表に残した状態を示す説明図である。
【図６】電極針を動物の体表に突き刺して抜け止まっている状態を示す断面説明図である。
【図７】電極針の針本体の第２乃至第７の実施形態を示す側面視説明図である。
【発明を実施するための形態】
【００４７】
図１及び図２を参照して、本発明に係る通電式屠殺装置の第１実施の形態を詳細に説明する。通電式屠殺装置Ａは、電源部１、プラス側通電操作具２及びマイナス側通電操作具３を備えている。以下、各部を詳細に説明する。
【００４８】
（電源部１）
電源部１は、直方体形状のケース１０を有している。ケース１０の内部には、図示しない１２Ｖのバッテリーと、１００Ｖ、２４０ＡのＤＣ／ＡＣインバーターが収納され、固定されている。また、バッテリーのプラス極とマイナス極は、ＤＣ／ＡＣインバーターの入力側に接続されている。なお、バッテリーとＤＣ／ＡＣインバーターの仕様は、処分対象となる動物に合わせて好適なものを適宜採用可能である。また、電源部１には、バッテリーからの電圧を昇圧する昇圧器を設けることもできる。
【００４９】
また、ケース１０の上面には、ＤＣ／ＡＣインバーターをＯＮ／ＯＦＦ操作することができる起動スイッチである電源スイッチ１１が設けられている。ケース１０の後部側面には、交流電力を出力するプラス側コンセント１２と、マイナス側コンセント１３が設けられている。ケース１０は、上部の両端寄りに、携帯用の肩ベルト１４及び腰ベルト１５を設けている。
【００５０】
ケース１０は、後述するプラス側通電操作具２の竿部２０に取り付けることができるように、そのための取付具又は固定具等を有していてもよい。なお、電源スイッチ１１は、例えば片切りスイッチの他、万一の際、素早くスイッチを切ることができるように、操作がしやすい押しボタン式のスイッチを採用してもよい。
【００５１】
プラス側コンセント１２には、後述するプラス側通電操作具２につながるプラス側電線１６が、基端部に設けられているプラグ（符号省略）を差し込んで接続されている。また、マイナス側コンセント１３には、マイナス側通電操作具３につながるマイナス側電線１７が、基端部に設けられているプラグ（符号省略）を差し込んで接続されている。プラス側電線１６とマイナス側電線１７は、変形性を有しており、自由に曲がるようになっている。
【００５２】
（プラス側通電操作具２）
プラス側通電操作具２は、絶縁体である合成樹脂（例えばポリ塩化ビニル等）により形成された竿部２０を有している。竿部２０は、充分な剛性を有する円管で形成され、所要の長さ（例えば２０００ｍｍ程度）に設定されている。なお、竿部２０（後述する竿部３０も同様）の長さについては、特に限定せず、適宜設定が可能である。また、竿部を伸縮調節が自在な構造とすることもできる。
【００５３】
竿部２０の先端部には、電極針４が着脱可能に取り付けられている（図１、図２参照）。電極針４は、導電材料である金属製の着脱部材４０と、着脱部材４０に取り付けられ、同じく金属製で先部が尖った針本体４４により構成されている。着脱部材４０は、竿部２０の先端部にややきつく内嵌めされる基部４１と、基部４１より径大な止め部４２及び針本体４４が固定される固定部４３を有している。着脱部材４０は、竿部２０の先端に基部４１を嵌め入れて仮止めすることができる。
【００５４】
主に図３を参照する。
針本体４４は、針部４４０を有している。針部４４０先端から基端方向へ所要距離をおいた位置には、抜け止め部４４１が形成されている。抜け止め部４４１は、針本体４４の抜け止め部４４１が設けられる部分の径より差し渡し（又は径）が大きく、円形の掛かり部４４２を有しており、掛かり部４４２から針先方向へ窄まるように形成されている。すなわち、抜け止め部４４１は、ほぼ円錐台に近い形状に形成されている。
【００５５】
なお、電極針４は、針部４４０先端から抜け止め部４４１の針部４４０基端側の端部までの距離が４６ｍｍに設定されており、例えば対象動物がイノシシである場合の成獣用となっているが、この寸法を例えば３５ｍｍとして、幼獣用とすることもできる。また、この寸法は、上記に限定されるものではなく、対象獣となる動物に合わせて、適宜設定することができる。
【００５６】
電極針４は、基側が固定部４３の先端から差し込まれ、止めネジ４３０によって固定され、電気的に接続されている。また、基部４１の外径は、竿部２０の内径より若干径小に形成されており、上記したように竿部２０の先端部にややきつく嵌め入れてある。この嵌め合いの強さは、取り扱い時に自重等で簡単に分離してしまうことがなく、例えば電極針４を動物に突き刺した後、プラス側通電操作具２を操作し、動物の体表に抜け止まった電極針４をそのままにして、竿部２０から電極針４を分離させることができる程度の強さに設定されている。
【００５７】
なお、竿部２０と電極針４を分離させる構造は、この構造に限定されるものではなく、例えば竿体２０と電極針４の間で所要の係止構造を採用し、プラス側通電操作具２の手元の操作で、その係止状態を解除して分離させる等、公知の各種構造が採用可能である。そして、着脱部材４０に固定された電極針４には、安全のためにキャップ４６が着脱可能に取り付けられる。キャップ４６は、金属製で、蝶ネジ４６０を締め込んで針本体４４に固定することができる構造である。
【００５８】
また、着脱部材４０の基部４１には、上記プラス側電線１６の先端部が止めネジ４１０によって固定され、電気的に接続されている。プラス側電線１６は、プラス側通電操作具２の基部から竿体２０の内部に導入されており（図１参照）、内部を通って、上記のように着脱部材４０に接続されている。プラス側電線１６の経路中には、起動スイッチ２２が設けられている。プラス側電線１６の導入部は、竿体２０の基端部に螺着されている竿尻具２４に固定されている。
【００５９】
上記起動スイッチ２２は、ＯＮ／ＯＦＦの切替が可能な押しボタン式で、竿体２０の基部寄りに設けられている継手２３に固定されており、狩猟者が操作しやすいようにしている。竿体２０において、継手２３よりやや先部寄りには、プラス側電線１６の一部を竿体２０の外部へ引き出すための引出し穴２００、２０１が周壁（符号省略）を貫通して設けられている。
【００６０】
プラス側電線１６は、竿体２０の内部において、竿体２０の長さより所要の長さだけ長くなるように設定されている。この長く設定された部分が余長部１６０であり、本実施の形態では６００ｍｍ程度に設定されている。余長部１６０の長さは、この長さに限定されるものではなく、適宜設定が可能である。余長部１６０は、引出し穴２００、２０１から外部へループ状に引き出されている。なお、図１等では、便宜上、余長部としての符号を付けているが、余長部は長さに余裕のある部分の意味であるので、必ずしもここだけに表れるものではない。
【００６１】
引出し穴２００、２０１は、竿体２０の底面、すなわち図１で下側（起動スイッチ２２とは反対側）に設けられている。これは、狩猟者が起動スイッチ２２を親指で操作しやすいようにして、プラス側通電操作具２を持ったときに、引出し穴２００、２０１から引き出された余長部１６０を他の指で持ちやすいようにするためである。しかし、引出し穴２００、２０１の形成位置は、これに限定するものではなく、適宜設定することができる。
【００６２】
また、引出し穴２００、２０１は、つながらないように独立して設けられており、それぞれ竿体２０の軸線方向と平行に設けられた長穴である。引出し穴２００、２０１は、長さが異なり、手元側の引出し穴２００は短く、先端側の引出し穴２０１はそれよりやや長く形成してあるが、この組合せに特に限定するものではない。また、引出し穴２００、２０１の孔縁の内部側は、プラス側電線１６が摺動しやすいように斜面に加工されている。
【００６３】
（マイナス側通電操作具３）
マイナス側通電操作具３は、上記プラス側通電操作具２と、電源部１からつながる電線がマイナス側電線１７に変わるだけで、実質的に同様の構造を有している（図１参照）。すなわち、マイナス側通電操作具３は、竿部３０を有している。竿部３０の先端部には、プラス側通電操作具２が有するものと同様の電極針４が着脱可能に取り付けられている。
【００６４】
針本体４４は、固定部４３に止めネジ４３０によって固定され、電気的に接続されている。基部４１の外径は、竿部３０の内径より若干径小に形成されており、竿部３０の先端部にややきつく嵌め入れてある。この嵌め合いの強さは、取り扱い時に自重等で簡単に分離してしまうことがなく、例えば電極針４を動物に突き刺した後、マイナス側通電操作具３を操作し、動物の体表に抜け止まった電極針４をそのままにして、竿部３０から電極針４を分離させることができる程度の強さに設定されている。
【００６５】
着脱部材４０に固定された針本体４４には、安全のためにキャップ４６が着脱可能に取り付けられる。キャップ４６は、蝶ネジ４６０を締め込んで針本体４４に固定することができる。着脱部材４０の基部４１には、上記マイナス側電線１７の先端部が止めネジ４１０によって固定され、電気的に接続されている。
【００６６】
マイナス側電線１７は、マイナス側通電操作具３の基部から竿体３０の内部に導入されており、内部を通って、上記のように着脱部材４０に接続されている。マイナス側電線１７の経路中には、起動スイッチ３２が設けられている。マイナス側電線１７の導入部は、竿体３０の基端部に螺着されている竿尻具３４に固定されている。
【００６７】
起動スイッチ３２は、竿体３０の基部寄りに設けられている継手３３に固定されており、狩猟者が操作しやすいようにしている。竿体３０において、継手３３よりやや先部寄りには、マイナス側電線１７の一部を竿体３０の外部へ引き出すための引出し穴３００、３０１が設けられている。マイナス側電線１７には、余長部１７０があり、引出し穴３００、３０１から外部へループ状に引き出されている。
【００６８】
なお、起動スイッチ２２、３２の操作による通電状態にあわせてランプが点滅したり、あるいはブザーが鳴るようしたりする等、報知機能を持たせることができる。ランプの点滅やブザーの鳴る周期（時間）を適宜設定しておけば、ランプが点滅する回数やブザーの鳴る回数をカウントすることにより、狩猟者が通電時間を計る目安とすることも可能である。このように、通電が始まること、あるいは通電していることを報知する報知機能を有することで、例えば装置を操作する狩猟者以外に補助者がいる場合にも、通電状態が補助者にも伝わるので、より安全に作業ができるようになる。
【００６９】
（作用）
図１乃至図６を参照して、通電式屠殺装置Ａの使用方法及び作用を説明する。
図４、図５では、足括り罠（図示省略）に掛かり、三本のワイヤロープ５、５ａ、及びロープ５ｂで立木６等につながれて拘束されたイノシシ７を屠殺する場合を例に取り説明する。なお、各方向のワイヤロープ５、５ａ、及びロープ５ｂには、適当なテンションが掛かっており、イノシシ７は自由に動くことができない状態である。
【００７０】
捕獲されたイノシシ７の屠殺にあたっては、足括り罠のワイヤロープ５だけでなく、拘束用のワイヤロープ５ａをイノシシ７につなぐ。この作業は、まずワイヤロープ５ａの先端に括り輪５０を形成し、これを長尺の棒等を使用して、イノシシ７の鼻先に近付けると咥えるので、すぐにワイヤロープ５ａを引いて括り輪５０を引き絞り、上顎を縛ることで比較的容易に行うことができる。
【００７１】
そして、詳細については説明を省略するが、公知の用具５１を使用して、イノシシ７の後足にロープ５ｂをつなぎ、これを他の立木（図示省略）につないで、イノシシ７を二方から引っ張ることによって、動けないように拘束する。
【００７２】
なお、図４、図５では、図示の便宜上、各ワイヤロープ５、５ａを比較的短く表しているが、実際上は、相当に長いものであり、括り輪５０をイノシシ７に咥えさせる作業やロープ５ｂを接続する作業は、イノシシ７から充分に離れた位置から安全に行うことができる。このように、イノシシ７の動きを確実に制限して、狩猟者に対する危険度を予め軽減しておく。
【００７３】
次に、狩猟者は、イノシシ７と離れた安全な場所で、通電式屠殺装置Ａを使用した屠殺作業の準備をする。まず、通電式屠殺装置Ａの電源部１の電源スイッチ１１を入れる。なお、プラス側通電操作具２とマイナス側通電操作具３の起動スイッチ２２、３２は、安全のため予め切っておく。この状態では、各通電操作具２、３の各電極針４には、通電されていない。
【００７４】
次に、マイナス側通電操作具３を操作して、イノシシ７の後足に電極針４を突き刺し、プラス側通電操作具２を操作して、イノシシ７の耳の下の神経が通った所に電極針４を突き刺す。この突き刺す順番は、特に限定せず、逆であってもよい。また、イノシシ７は拘束されており、自由に動くことができないので、各電極針４を突き刺す作業は容易に行うことができる。
【００７５】
このように、電極針４をイノシシ７の体表に突き刺すことにより、針本体４４は、皮部７０を貫通して皮下の肉部７１に入る。針本体４４の抜け止め部４４１は、針先方向へ窄まる部分を有しており、イノシシ７の皮部７０を貫通するとき、皮部７０の穴部で徐々に径が大きくなるので、それ程大きな抵抗はなく、比較的スムーズに突き刺すことができる。抜け止め部４４１が皮部７０を貫通すると、針本体４４の先部がイノシシ７の皮下を通っている神経７２に到達する（図６参照）。また、皮部７０の広がっていた穴（符号省略）がやや収縮する。
【００７６】
そして、狩猟者が、すぐにプラス側通電操作具２とマイナス側通電操作具３を引っ張る等の操作を行うと、各電極針４は、体表に突き刺した状態を維持しながら、かつプラス側電線１６及びマイナス側電線１７を介し各電極針４に通電可能な状態を維持しながら、竿体２０、３０から分離し、イノシシ７の体表に残る。このとき、仮に各電極針４に強い引っ張り力が作用し、抜け方向に移動しようとしても、皮部７０の肉部７１側の内面の穴縁に掛かり部４４２が掛かるので、想定された所要の力に対しては抜け止まり、簡単に抜けてしまうことはない（図６参照）。
【００７７】
特に、電極針４が皮部７と直角に差し込まれ、電線による引っ張り方向が電極針４に対して角度がついている場合、皮部７に対する抜け止め部４４１の掛かりが強くなるので、電極針４の抜けに対する耐力がより強くなる。
【００７８】
なお、針本体４４の抜け止め部４４１は、針本体４４の先端から基端方向へ所要距離をおいた位置に形成されており、電極針が抜け止まった位置で、その針先は、上記のようにイノシシ７の皮下のある程度深いところに通っている神経７２（末梢神経系、中枢神経系等）に届くようになっている。神経７２は、生命維持のための各種の情報伝達を行うものである。
【００７９】
これにより、各電線１６、１７は引っ張られ、各余長部１６０、１７０が各竿体２０、３０の内部に引き込まれて全部が収納されるまでは、先端からは引出しが可能である。プラス側通電操作具２とマイナス側通電操作具３は、各電線１６、１７の引出し可能な長さ（各余長部１６０、１７０の長さ）の分だけ、各電極針４と新たな余長部１６０ａ、１７０ａの長さに対応する距離を以て分離することができる（図５参照）。
【００８０】
このようにして、イノシシ７に突き刺さって残っている各電極針４と、狩猟者が持っている、電極針４が外れたプラス側通電操作具２とマイナス側通電操作具３は、変形性を有する電線１６、１７を介して、通電可能に接続された状態となる。なお、イノシシ７に刺さっている電極針４が何等かの原因で抜けてしまった場合は、抜けた側の電線の余長部を引っ張れば、電極針を竿体の先端部に嵌め入れることができ、イノシシ７に対して再度刺し直すことが可能になる。
【００８１】
この状態で起動スイッチ２２、３２を入れてプラス側の電線に通電すると、電流がイノシシ７を通る閉回路がつくられる。すなわち、プラス側通電操作具２につながるプラス側電線１６を通じて電極針４に送られた電流は、イノシシ７の身体を通り、更にマイナス側通電操作具３のマイナス側電線１７に流れて接地されることにより、イノシシ７は感電し、ごく短時間のうちに、イノシシ７の生命活動を停止させることができる。
【００８２】
また、上記作業において、イノシシ７が通電する前に暴れたり、通電のショック等で激しく動いたりしても、その動きの一部又は全部は、各電線１６、１７が変形しながら動くことにより吸収されるので、各通電操作具２、３に伝わることを抑制することができ、各電極針４が変形したり破損したりすることを抑制することができる。
【００８３】
これにより、電極針４の破損等が原因で通電式屠殺装置が使用できなくなることも防止又は抑制することができる。また、従来のような、各通電操作具２、３が強く弾かれて、各通電操作具２、３を持った狩猟者が転倒したり、各通電操作具２、３で打たれたりして怪我をしてしまう危険性を低減することもできる。
【００８４】
このように、通電式屠殺装置Ａを使用すれば、上記したように、足括り罠に掛かって、ワイヤロープ５でつながれた状態で捕獲されたイノシシ７であっても、狩猟者が自身の安全を図りながら屠殺を行うことができる。
【００８５】
なお、例えば鉄製で檻状の箱罠で動物を捕獲している場合において、クリッピングケーブル（図示省略）をマイナス側通電操作具３の電極針３１と入れ替えて接続することもでき、クリッピングケーブルのクリップを地面上にある箱罠に接続することで、アースをとることが可能になる。この場合は、クリッピングケーブルを接続しなかった側のプラス側通電操作具２の電極針２１を動物に接触させて通電を行えば、箱罠に触れている動物の身体を通る閉回路が形成され、動物を感電させることができる。
【００８６】
また、イノシシ７の身体において通電する箇所、身体を通る電流の電圧と容量、あるいは通電時間を適宜調節することにより、イノシシ７を感電死させることもできるし、気絶させることもできる。例えば、動物の口部と首部との間で所要時間通電すると、主に脳が感電して仮死状態となり、この時点では心臓は動いているので、ナイフ等を使用して致命傷を与えることで放血が可能になり、その場合は利活用（特に食用）に適する。更に、動物の口部と後足や前足の間で通電を行えば、心臓が感電して短時間で停止するので、手早く屠殺を行う場合に有用である。
【００８７】
なお、通電式屠殺装置は、プラス側電線１６及びマイナス側電線１７の一方又は双方が伸縮可能な余長部が設けられると共に、余長部が、対応する通電操作具２、３に出入り可能に収納されている構成であってもよい。
【００８８】
この場合、各電線１６、１７に設けた伸縮可能な余長部は、電極針４を分離させたとき、必要な位置まで離すことができるように、電線１６、１７に余裕を持たせた部分であり、通電操作具２、３に出入り可能に収納されている。これにより、電極針が分離して各通電操作具から離れたときに、予め設定された間隔までは余長部が伸びることで吸収されるので、電極針が離れて電線が引っ張られることによる衝撃や力が、各通電操作具に及ぶことが抑制される。
【００８９】
また、電極針を各通電操作具に戻すときには、電線を元のように縮めて内部に収納することができる。この状態では、電線の余長部が、通電操作具を取り扱う際に、木の枝等に引っ掛かる等の不都合が生じにくく、山中での作業がしやすい。
【００９０】
図７を参照し、電極針の針本体の第２乃至第７の実施形態を説明する。なお、以下に示す各針本体は、針部先端から抜け止め部の針部基端側の端部までの距離が３３〜３７ｍｍに設定されている幼獣用であるが、これに限定されず、成獣用あるいは任意の長さとすることもできる。
【００９１】
（ａ）針本体４４ａは、針部４４０ａの先部に抜け止め部４４１ａが設けられている。抜け止め部４４１ａは、最大径の掛かり部４４２ａを有し、針先方向へ窄まって、先端までが細長い円錐状となるように形成されている。針本体４４ａの作用は、上記針本体４４とほぼ同様である。
【００９２】
（ｂ）針本体４４ｂは、針部４４０ｂのほぼ中間部に、抜け止め部４４１ｂが設けられている。抜け止め部４４１ｂは、最大径の掛かり部４４２ｂを有し、針部４４０ｂの針先方向及び基端方向の両方向に窄まっており、その傾斜は前者の方が緩やかになるように形成されている。針本体４４ｂの作用は、動物の皮部への抜け止まりが強くなりすぎるのを防ぐため、掛かりをやや緩くしている点を除き、上記本体４４とほぼ同様である。
【００９３】
（ｃ）針本体４４ｃは、針部４４０ｃのほぼ中間部に、抜け止め部４４１ｃが設けられている。抜け止め部４４１ｃは、針部４４０ｃの針先方向に窄まると共に、針部４４０ｃの軸周方向の反対位置の二箇所にある最大径の掛かり部４４２ｃを有し、各掛かり部４４２ｃは、先端が針部４４０ｃ基端方向へ尖っている。針本体４４ｃの作用は、掛かり部４４２ｃが尖っていることで、動物の皮部に対する掛かりがより強くなる点を除き、上記本体４４とほぼ同様である。
【００９４】
（ｄ）針本体４４ｄは、針部４４０ｄの先部に抜け止め部４４１ｄが設けられている。抜け止め部４４１ｄは、針先方向へ窄まって、先端までが細長い円錐状となるように形成されており、その基端には、先端が針部４４０ｃ基端方向へ尖っている最大径の掛かり部４４２ｄが一箇所に設けられている。針本体４４ｄの作用は、掛かり部４４２ｄが尖っていることで、動物の皮部に対する掛かりがより強くなる点を除き、上記本体４４とほぼ同様である。
【００９５】
（ｅ）針本体４４ｅは、針部４４０ｅのほぼ中間部に、抜け止め部４４１ｅが設けられている。抜け止め部４４１ｅは、針部４４０ｅの軸周方向の反対位置の二箇所にある最大径の掛かり部４４２ｅを有している。各掛かり部４４２ｅは、外縁部が円弧形状を有している。針本体４４ｅの作用は、動物の皮部への抜け止まりが強くなりすぎるのを防ぐため、掛かりをやや緩くしている点を除き、上記本体４４とほぼ同様である。
【００９６】
（ｆ）針本体４４ｆは、針部４４０ｅの長さ方向の二箇所に抜け止め部４４１ｆが設けられている。各抜け止め部４４１ｆには、それぞれ最大径の掛かり部４４２ｆを有し、針部４４０ｆの針先方向及び基端方向の両方向に窄まっており、その傾斜は前者の方が緩やかになるように形成されている。
【００９７】
針本体４４ｆの作用は、動物の皮部への抜け止まりが強くなりすぎるのを防ぐため、掛かりをやや緩くしていると共に、針部４４０ｅの基端側の抜け止め部４４１ｆが動物の皮部から抜けてしまった場合でも、先端側の抜け止め部４４１ｆで抜け止まることが期待できる点を除き、上記本体４４とほぼ同様である。
【００９８】
また、複数の掛かり部の組み合わせとしては、針本体４４ｆのように各々が同径であってもよいし、針先方向の掛かり部を基端方向の端部の掛かり部より差し渡しを大きく設定することもできる。その場合は、基端方向の端部の掛かり部の掛かりが外れたときにも、針先方向の掛かり部によって、電極針が抜け止まる可能性が高く、動物の皮下の所要の深さに通電を行うという所定の機能を維持することが可能になる。
【００９９】
本明細書及び特許請求の範囲で使用している用語と表現は、あくまでも説明上のものであって、なんら限定的なものではなく、本明細書及び特許請求の範囲に記述された特徴及びその一部と等価の用語や表現を除外する意図はない。また、本発明の技術思想の範囲内で、種々の変形態様が可能であるということは言うまでもない。
【符号の説明】
【０１００】
Ａ  通電式屠殺装置
１  電源部
１０  ケース
１１  電源スイッチ
１２  プラス側コンセント
１３  マイナス側コンセント
１４  肩ベルト
１５  腰ベルト
１６  プラス側電線
１６０  余長部
２  プラス側通電操作具
２０  竿部
２２  起動スイッチ
２３  継手
２４  竿尻具
１４  電極針
４０  着脱部材
４１  基部
４１０止めネジ
４２  止め部
４３  固定部
４３０  止めネジ
４４  針本体
４４０  針部
４４１  抜け止め部
４４２  掛かり部
４６  キャップ
４６０  蝶ネジ
２００、２０１  引出し穴
３  マイナス側通電操作具
３０  竿部
１７  マイナス側電線
１７０  余長部
３２  起動スイッチ
３３  継手
３４  竿尻具
３００、３０１  引出し穴
４４ａ  針本体
４４０ａ  針部
４４１ａ  抜け止め部
４４２ａ  掛かり部
４４ｂ  針本体
４４０ｂ  針部
４４１ｂ  抜け止め部
４４２ｂ  掛かり部
４４ｃ  針本体
４４０ｃ  針部
４４１ｃ  抜け止め部
４４２ｃ  掛かり部
４４ｄ  針本体
４４０ｄ  針部
４４１ｄ  抜け止め部
４４２ｄ  掛かり部
４４ｅ  針本体
４４０ｅ  針部
４４１ｅ  抜け止め部
４４２ｅ  掛かり部
４４ｆ  針本体
４４０ｆ  針部
４４１ｆ  抜け止め部
４４２ｆ  掛かり部
【図１】
2019149989.tif 000003
【図２】
2019149989.tif 000004
【図３】
2019149989.tif 000005
【図４】
2019149989.tif 000006
【図５】
2019149989.tif 000007
【図６】
2019149989.tif 000008
【図７】
2019149989.tif 000009